(57)【特許請求の範囲】
【請求項１】
マスター媒体に記録された情報を読み出すマスター媒体再生手段と、前記読み出されたマスター媒体の情報をコピー先媒体に書き込む複数のコピー先媒体記録手段とを備え、マスター媒体に記録された情報を複数のコピー先媒体にコピーする情報記録再生装置であって、
前記マスター媒体再生手段にマスター媒体が装着されたことを検出し、マスター媒体の装着によってコピー処理を開始するコピー制御手段を備え、
前記コピー制御手段は、コピー処理中の異常の発生を検出し、コピー処理を終了するときに、コピー処理が正常に終了したマスター及びコピー先媒体を前記マスター媒体再生手段及びコピー先媒体記録手段から排出し、コピー処理中に異常があった媒体は前記マスター媒体再生手段あるいはコピー先媒体記録手段から排出しないようにすることを特徴とする情報記録再生装置。
【発明の詳細な説明】
【０００１】
【産業上の利用分野】
本発明は、光磁気ディスク、相変化型光ディスクなどの可換記録媒体に対して情報の記録再生を行う情報記録再生装置に関し、特に、マスター媒体に記録された情報を他の複数の媒体にコピーする情報記録再生装置に関する。
【０００２】
【従来の技術】
従来より、小型コンピュータなどにおいて、媒体の交換や持ち運びが可能な可換型の情報記録媒体として、フロッピーディスク等が広く用いられている。また、最近では画像データなどの大量のデータを記録可能な情報記録媒体として、光磁気ディスクとか相変化型光ディスクなどの光学式の可換記録媒体が用いられている。
【０００３】
このような可換記録媒体は、媒体における全情報の複写（コピー）を行うことにより、原版の媒体（マスター）から同一の情報が記録された媒体を得ることも可能となっている。例えば情報内容を頒布する場合などに、マスター媒体から複数の媒体にコピーすることが行われている。
【０００４】
光磁気ディスクやフロッピーディスク等を用いた記録再生装置において、マスターディスクに記録された情報を複数のディスクにコピーし、同一の情報内容のディスクを複数同時に作成できるようにした可換記録媒体コピー装置が種々提案されている。
【０００５】
従来のコピー装置は、光磁気ディスク用のものでは、マスターディスク再生用のディスクドライブ装置と、コピー先ディスクへの記録用の複数のディスクドライブ装置と、コピー開始等を指示するための操作スイッチ等による操作手段とを有すると共に、マスターディスクのデータを一旦記録しておくためのハードディスク装置を備えた構成のものが一般的である。
【０００６】
このような光磁気ディスク用のコピー装置では、ユーザによって操作スイッチ等を操作することによりコピー開始の指示を行い、装置はコピー動作の指示を受けると、マスターディスクに記録されたデータを一旦全部ハードディスクに記録し、その後ハードディスクより複数のコピー先ディスクへそれぞれデータをコピーするようになっている。
【０００７】
従って、従来の装置ではコピー開始を指示するスイッチ操作などユーザによる指示操作が必要であり、コピー処理を簡便に行えない場合があった。また、光磁気ディスク用の装置では、情報の記録を行う際にディスクドライブ装置において多くの時間を要し、コピー動作を制御するコントローラ側や他のディスクドライブ装置で多くの待ち時間が生じる場合があり、マスターディスクの全部のデータを一旦ハードディスクに記録してからコピー先ディスクへコピーする方式ではコピー時の時間効率があまり良くないこともある。
【０００８】
【発明が解決しようとする課題】
前述したように、マスター媒体の情報を複数の媒体にコピーする機能を有した情報記録再生装置は、従来ではユーザによるコピー開始の指示に基づき、マスター媒体の全ての情報を一旦ハードディスクなどのバッファメモリ手段に記録した後、複数のコピー先媒体へそれぞれ情報を記録するような構成が一般に採られている。このため、従来の装置ではコピー開始の指示を送るためのスイッチ操作などユーザによる何らかの指示操作が必要であり、コピー処理を簡便に行えない場合があった。
【０００９】
また、従来の装置ではコピー処理の状態を容易に確認することができないため、ユーザがコピー処理が正常に終了したかコピー処理中に異常があったかを把握することができず、誤操作を招くおそれがあった。また、誤操作に対する保護手段も特に考慮されていなかった。
【００１０】
本発明は、これらの事情に鑑みてなされたもので、コピー処理が正常に終了したかコピー処理中に異常があったかを容易に確認することができ、ユーザに注意を促して誤操作を防止することが可能な情報記録再生装置を提供することを目的とする。
【００１３】
【課題を解決するための手段】
本発明の情報記録再生装置は、マスター媒体に記録された情報を読み出すマスター媒体再生手段と、前記読み出されたマスター媒体の情報をコピー先媒体に書き込む複数のコピー先媒体記録手段とを備え、マスター媒体に記録された情報を複数のコピー先媒体にコピーする情報記録再生装置であって、前記マスター媒体再生手段にマスター媒体が装着されたことを検出し、マスター媒体の装着によってコピー処理を開始するコピー制御手段を備え、前記コピー制御手段は、コピー処理中の異常の発生を検出し、コピー処理を終了するときに、コピー処理が正常に終了したマスター及びコピー先媒体を前記マスター媒体再生手段及びコピー先媒体記録手段から排出し、コピー処理中に異常があった媒体は前記マスター媒体再生手段あるいはコピー先媒体記録手段から排出しないようにすることを特徴とする。
【００１６】
【作用】
本発明の情報記録再生装置では、コピー制御手段によって、マスター媒体に記録された情報を読み出すマスター媒体再生手段にマスター媒体が装着されたことを検出し、マスター媒体の装着によってコピー処理を開始し、コピー制御手段によって、コピー処理中の異常の発生を検出し、コピー処理を終了するときに、コピー処理が正常に終了したマスター及びコピー先媒体をマスター媒体再生手段及びコピー先媒体記録手段から排出し、コピー処理中に異常があった媒体はマスター媒体再生手段あるいはコピー先媒体記録手段から排出しないようにする。
【００１９】
【実施例】
以下、図面を参照して本発明の実施例を説明する。
図１ないし図７は本発明の一実施例に係り、図１は情報記録再生装置の全体構成を示すブロック図、図２は情報記録再生装置の外観及び内部構成を示す正面及び側面図、図３は表示操作パネルの配置構成を示す構成説明図、図４は制御部の構成を示すブロック図、図５ないし図７は本実施例の情報記録再生装置の動作を示すフローチャートである。
【００２０】
本実施例は、可換記録媒体に対して情報の記録再生を行う情報記録再生装置として、マスター媒体の情報を複数のコピー先媒体にコピーする機能を有する可換記録媒体コピー装置の構成例を示したものである。本実施例では、可換記録媒体に光磁気ディスクを用いた光磁気ディスク装置を例にとり説明する。なお、可換媒体としては光磁気ディスクに限らず、相変化型光ディスク、ＣＤ−Ｒ、フロッピーディスク、光サーボを用いたフロッピーディスクなどの媒体を用いた装置においても本実施例を適用可能である。
【００２１】
図１に示すように、本実施例の情報記録再生装置は、コピー元のマスターディスクを装着しマスターディスクに記録されたデータを読み出すマスター媒体再生手段としてのマスターディスク読み出し用のディスクドライブユニット１ａと、コピー先ディスクを装着しコピー先ディスクへデータを書き込むコピー先媒体記録手段としてのコピー先ディスク書き込み用の複数のディスクドライブユニット１ｂ，１ｃ，１ｄ，１ｅと、これらのマスター用及びコピー先用のディスクドライブユニットを制御するコピー制御手段としての制御部２とを備えて主要部が構成されている。
【００２２】
前記マスター用及びコピー先用のディスクドライブユニット１ａ〜１ｅは、２系統のＳＣＳＩ（Ｓｍａｌｌ  Ｃｏｍｐｕｔｅｒ  Ｓｙｓｔｅｍ  Ｉｎｔｅｒｆａｃｅ  ）バス３ａ，３ｂを介して制御部２に接続されている。図１の例では、ディスクドライブユニット１ａ，１ｂ，１ｃはＳＣＳＩバス（１）  ３ａに接続され、ディスクドライブユニット１ｄ，１ｅはＳＣＳＩバス（２）  ３ｂに接続されており、各ＳＣＳＩバス３ａ，３ｂを介して制御部２との間で制御コマンドやデータの転送がなされるようになっている。
【００２３】
また、装置の動作状態の表示等を行う表示操作パネル４と、各ディスクドライブユニット毎の状態表示を行う表示素子としてのドライブＬＥＤ５ａ〜５ｅとが設けられ、それぞれ制御部２に接続されている。このドライブＬＥＤ５ａ〜５ｅは、例えば緑／赤の２色のＬＥＤで構成されている。さらに、ディスクドライブユニット１ａ〜１ｅ，制御部２，表示操作パネル４等に電源を供給する電源ユニット６が設けられ、装置内の各部と接続されており、それぞれに電力を送出するようになっている。
【００２４】
図２に本実施例の情報記録再生装置の外観及び内部の構成を示す。図２において、（ａ）は装置を正面から見た正面図であり、（ｂ）は装置の内部を示すために側部筐体を切り欠いた状態で側面から見た側面図である。
【００２５】
情報記録再生装置は、筐体１０内に各部が収納されて構成されており、筐体１０の正面上部に表示操作パネル４が配設され、表示操作パネル４の下にディスクドライブユニット１ａ〜１ｅが縦方向に並んで配設されて、表示操作パネル４及びディスクドライブユニット１ａ〜１ｅが筐体前面に露呈している。ディスクドライブユニット１ａ〜１ｅの側部の前面パネルには、それぞれのドライブに対応してドライブＬＥＤ５ａ〜５ｅが配置されている。ディスクドライブユニット１ａ〜１ｅの下部には、制御部２の回路を搭載した制御基板１１が配設されている。そして、筐体１０の底部には、電源ユニット６が配設されている。
【００２６】
各ディスクドライブユニット１ａ〜１ｅは、ユニットの底部を保持するようにホルダ１２が取り付けられ、筐体１０の両側部に縦方向に設けられたブラケット１３にホルダ１２の両側部の突出部１２ａが係合している。ブラケット１３にはディスクドライブユニット１ａ〜１ｅの高さに合わせて上下方向に等間隔にレール部１３ａが形成されており、各ディスクドライブユニット１ａ〜１ｅを筐体１０の後部から入れてホルダ１２の突出部１２ａをブラケット１３のレール部１３ａに係合させて前方へ摺動させることにより、各レール部１３ａに沿ってディスクドライブユニット１ａ〜１ｅを収納できるようになっている。
【００２７】
また、ブラケット１３の下端部のレール部１３ｂには、制御基板１１を保持する基板ホルダ１４の両端部が係合し、レール部１３ｂに沿って制御基板１１が収納されている。
【００２８】
筐体１０の底部に配設された電源ユニット６の後部には、後面パネルに露呈した電源スイッチ１５とＡＣインレット及びアウトレット１６とを有するＡＣ部６ａが設けられている。また、各ディスクドライブユニット１ａ〜１ｅの後方には、内部の空気を吸出または外部の空気を吹入してドライブユニットを冷却するための冷却ファン１７が配設されている。冷却ファンは、図２の例のようにディスクドライブユニットと別体としても良いし、冷却ファンを内蔵したディスクドライブユニットを用いても良い。冷却ファン内蔵のディスクドライブユニットを用いる場合は、各ドライブの冷却ファンに対応させて筐体の後面に通気孔を設ければ良い。
【００２９】
なお、各構成要素を本実施例のように筐体内に一体的に設ける構成に限らず、制御部２及び表示操作パネル４とディスクドライブユニット１ａ〜１ｅとを別体に設けたり、複数のディスクドライブユニット部を設ける構成としても良い。また、ディスクドライブユニットの数や配置は、使用目的に応じて構成すれば良い。
【００３０】
表示操作パネル４の詳細の配置構成を図３に示す。表示操作パネル４の中央部には、コピー処理時の進捗度あるいはコピー完了した媒体の枚数を数字で表示するカウンタ表示部４１が配設されている。このカウンタ表示部４１は、３つの７セグメント表示素子が並設されて構成されており、３桁までの数値を表示できるようになっている。
【００３１】
また、表示操作パネル４の左側部には、電源のオン状態のときに点灯表示する緑色の単色のＬＥＤからなる電源表示ＬＥＤ４２と、前記カウンタ表示部４１に表示されたコピー完了枚数をリセットするための枚数リセットスイッチ４３とが配設されている。表示操作パネル４の右側部には、前記カウンタ表示部４１にコピー完了した媒体の枚数を表示する際に点灯する枚数表示ＬＥＤ４４と、カウンタ表示部４１にコピー処理時の進捗度を表示する際に点灯するパーセント表示ＬＥＤ４５と、コピー完了枚数表示とコピー進捗度表示とを手動で切換えるための表示切換スイッチ４６とが設けられている。前記枚数表示ＬＥＤ４４及びパーセント表示ＬＥＤ４５は、例えば緑色の単色のＬＥＤで構成されている。
【００３２】
この表示操作パネル４において、装置の電源スイッチ１５がオンされて電源が投入されたときには電源表示ＬＥＤ４２が緑色に点灯し、コピー動作時にはコピーの進捗度がカウンタ表示部４１に百分率で表示されると共にパーセント表示ＬＥＤ４５が緑色に点灯し、コピー終了時にはコピー完了した媒体の枚数がカウンタ表示部４１に表示されると共に枚数表示ＬＥＤ４４が緑色に点灯するようになっている。また、コピー開始前に枚数リセットスイッチ４３を押すことにより、コピー完了枚数の表示値を０にリセットできるようになっている。また、表示切換スイッチ４６を押すことにより、手動でコピー完了枚数表示とコピー進捗度表示とを切換えることも可能になっている。
【００３３】
なお、表示操作パネルの変形例として、コピー完了枚数表示部とコピー進捗度表示部と別に設け、それぞれにコピー完了枚数表示とコピー進捗度表示とを行う構成としても良い。また、表示操作パネルを液晶表示パネル等で構成し、各表示部を設けるようにしても良い。
【００３４】
制御部２の詳細の構成を図４に示す。制御部２は、各部の制御を行うＣＰＵ２１と、コピー動作時にマスター用のディスクドライブユニット１ａより所定量のブロックずつ読み出したマスターディスクのデータを記憶するバッファメモリ２２と、ＳＣＳＩバス（１）  ３ａ及びＳＣＳＩバス（２）  ３ｂの各バス上のシーケンス制御を行うＳＣＳＩプロトコルコントローラ（ＳＰＣ）（１）  ２３，（２）  ２４と、ドライブＬＥＤ５ａ〜５ｅを駆動して点灯表示させるＬＥＤドライバ２５とを備えて構成されている。
【００３５】
図４における破線で示すように、ＣＰＵ２１から制御信号がＳＰＣ（１）  ２３，ＳＰＣ（２）  ２４，バッファメモリ２２，表示操作パネル４，ＬＥＤドライバ２５に送られ、各部が制御されるようになっている。ＣＰＵ２１によって、ＳＰＣ（１）  ２３，ＳＰＣ（２）  ２４を介してＳＣＳＩバス３ａ，３ｂ上の各ディスクドライブユニット１ａ〜１ｅにおける記録再生動作の制御が行われ、マスター用のディスクドライブユニット１ａによってマスターディスクのデータが所定量のブロックずつ読み出されてバッファメモリ２２に記憶されると共に、このバッファメモリ２２のデータがコピー先用のディスクドライブユニット１ｂ〜１ｅに送られて各コピー先ディスクに記録される。また、装置の状態に応じてＣＰＵ２１により表示操作パネル４及びＬＥＤドライバ２５が制御され、表示操作パネル４の各表示部及びドライブＬＥＤ５ａ〜５ｅの表示制御が行われる。
【００３６】
前記バッファメモリ２２は、コピー処理時の時間効率を考慮して、例えば２ＭＢの容量の半導体メモリから構成され、マスターディスクから読み出された一部のデータを一時記憶するようになっている。本実施例の装置では、コピー処理を高速化するためにドライブ稼働率を向上させるように２系統のＳＣＳＩバスを有した構成となっている。ＳＣＳＩバスの数は、配設するディスクドライブユニットの数に応じて適宜増減させればよい。１系統のＳＣＳＩバス上に接続するディスクドライブユニットの数は、本実施例では３個としているが、１〜７個のうちから適宜設定すればよい。
【００３７】
次に、本実施例の情報記録再生装置の動作を説明する。
【００３８】
情報記録再生装置を使用する際には、装置の電源スイッチ１５がオフの状態で、背面のＡＣインレットに図示しない電源ケーブルを接続し、この電源ケーブルを商用電源に接続する。そして、電源スイッチ１５をオンし、装置を通電状態とする。その後、ＣＰＵ２１の制御により、表示操作パネル４にコピー完了枚数として０枚が表示され、各ディスクドライブユニット１ａ〜１ｅの脇のドライブＬＥＤ５ａ〜５ｅが全て緑色に点灯する。また、ＣＰＵ２１はマスター用及びコピー先用のディスクドライブユニット１ａ〜１ｅのディスクの挿入状態を検出し、電源投入以前にディスクが挿入されていた場合は該当するディスクドライブユニットよりディスクを排出する。
【００３９】
マスターディスクのデータを複数のコピー先ディスクに同時にコピーするコピー処理の動作を以下に説明する。
【００４０】
コピーを行う際に、ユーザは、まずコピー先のディスクを必要な枚数だけコピー先用のディスクドライブユニット１ｂ〜１ｅに挿入することでドライブ内にコピー先ディスクをセットする。このとき、コピー先ディスクはディスクカートリッジに設けられた書き込み保護機構としてのライトプロテクトのスライドスイッチをオフにしてライトプロテクトをかけないようにする。コピー先用のディスクドライブユニット１ｂ〜１ｅは、コピー先ディスクがセットされるとイニシャライズを行って記録再生できる状態で待機する。ＣＰＵ２１はコピー先用のディスクドライブユニット１ｂ〜１ｅのディスクの挿入状態を検出しており、ドライブＬＥＤ５ｂ〜５ｅのうちコピー先ディスクがセットされたドライブに対応するＬＥＤを消灯する。
【００４１】
次いで、ユーザはマスター用のディスクドライブユニット１ａにマスターディスクを挿入することでドライブ内にマスターディスクをセットする。このとき、マスターディスクはライトプロテクトのスライドスイッチをオンにしてライトプロテクトをかけておくようにする。マスター用のディスクドライブユニット１ａは、マスターディスクがセットされるとイニシャライズを行って再生可能な状態で待機する。ＣＰＵ２１はマスター用のディスクドライブユニット１ａにマスターディスクがセットされたことを検出すると、全てのドライブＬＥＤ５ａ〜５ｅを消灯し、コピー処理を開始する。すなわち、ユーザがコピー先ディスクを挿入した後にマスターディスクを挿入するだけで、コピー処理が開始される。
【００４２】
図５ないし図７のフローチャートはＣＰＵ２１の動作を中心に示したもので、以降はこれらのフローチャートに沿って説明する。
【００４３】
まず前処理として、図５に示すステップＳ１（以降はステップを省略して単にＳ１のように記す）で、ＣＰＵ２１はマスター用のディスクドライブユニット１ａにコマンドを送り、マスターディスクがセットされているか否かマスターディスクの挿入状態をチェックする。そしてＳ２でマスターディスクがセットされていないかどうかを判断し、マスターディスクがセットされていない場合はＳ１に戻る。すなわち、マスターディスクがセットされるまでＣＰＵ２１，マスター用及びコピー先用のディスクドライブユニット１ａ〜１ｅは待機状態となる。
【００４４】
Ｓ２でマスターディスクがセットされた場合はＳ３に進み、マスター用のディスクドライブユニット１ａにコマンドを送ってマスターディスクにライトプロテクトがかけられているか否かをチェックする。そしてＳ４でマスターディスクにライトプロテクトがかかっていないかどうかを判断し、ライトプロテクトがかかっていない場合はＳ５でマスター用のディスクドライブユニット１ａの脇のドライブＬＥＤ５ａを黄色に点灯するエラー処理を行ってＳ１に戻る。
【００４５】
Ｓ４で挿入されたマスターディスクにライトプロテクトがかかっている場合はＳ６に進み、コピー先用のディスクドライブユニット１ｂ〜１ｅにコマンドを送ってコピー先ディスクがセットされているか否かコピー先ディスクの挿入状態をチェックする。そしてＳ７でコピー先ディスクがセットされていないかどうかを判断し、コピー先ディスクが１枚もセットされていなかった場合はＳ５でマスター用のディスクドライブユニット１ａの脇のドライブＬＥＤ５ａを黄色に点灯するエラー処理を行ってＳ１に戻る。
【００４６】
Ｓ７でコピー先ディスクがセットされている場合はＳ８に進み、コピー先用のディスクドライブユニット１ｂ〜１ｅにコマンドを送ってコピー先ディスクにライトプロテクトがかけられているか否かをチェックする。そしてＳ９でコピー先ディスクにライトプロテクトがかかっているかどうかを判断し、ライトプロテクトがかかっている場合はＳ５でドライブＬＥＤ５ｂ〜５ｅのうちエラーがあったコピー先用のディスクドライブユニットに対応するＬＥＤを黄色に点灯するエラー処理を行ってＳ１に戻る。
【００４７】
前記Ｓ５でのエラー処理は、ユーザの操作ミスによる軽度のエラー時の処理であるため、緑／赤２色のドライブＬＥＤを緑と赤の両方点灯させて黄色に点灯させ、エラーをユーザに告知する。この場合、ユーザがライトプロテクトエラーが発生したドライブのイジェクトスイッチを押してマスターディスクあるいはコピー先ディスクを排出しない限り、次の処理に進まないようになっている。なお、Ｓ５でのエラー処理としてドライブＬＥＤの点灯に代えて、マスターディスクにライトプロテクトがかかっていない場合やコピー先ディスクが１枚もセットされていない場合にはマスターディスクを、コピー先ディスクにライトプロテクトがかかっている場合にはコピー先ディスクをそれそれ自動的に排出するようにしても良いし、ＬＥＤの点灯とディスクの排出との両方を行うようにしても良い。
【００４８】
Ｓ９で挿入されているコピー先ディスクにライトプロテクトがかかっていない場合は、コピー処理開始となり、図６に示した以降のコピー処理に進む。すなわち、ライトプロテクトがかかっていないコピー先ディスク（１枚以上）をコピー先用のディスクドライブユニットにセットした後に、ライトプロテクトがかかっているマスターディスクをマスター用のディスクドライブユニットにセットすることにより、コピー処理が開始される。
【００４９】
コピー処理において、まず図６のＳ１０で、全てのディスクドライブユニット１ａ〜１ｅのイジェクトスイッチをロックし、コピー処理中のディスクの誤排出を防止する。その後、マスターディスクの全面のデータをコピー先ディスクにコピーする。
【００５０】
ＣＰＵ２１は、Ｓ１１でマスター用のディスクドライブユニット１ａにコマンドを送り、マスターディスクの全データのうち所定量のブロックのデータをマスターディスクから読み出し、ＳＣＳＩバス３ａを介して転送してバッファメモリ２２に読み込む。そして、Ｓ１２でコピー先用のディスクドライブユニット１ｂ〜１ｅにコマンドを送り、バッファメモリ２２のデータをＳＣＳＩバス３ａ，３ｂを介して転送してコピー先ディスクに書き込む。次いで、Ｓ１３で表示操作パネル４に制御信号を送ってコピー処理の進捗度を表示操作パネル４のカウンタ表示部４１に％で表示する。
【００５１】
次に、Ｓ１４で、コピー動作中にエラーが生じたか否かを判断し、ディスクの欠陥などにより、データの読み出しまたは書き込みでエラーが生じた場合はＳ１５でエラーがあったマスター用あるいはコピー先用のディスクドライブユニットを処理から外す。そしてＳ１６でエラーが生じたドライブ以外のディスクドライブユニットでコピー処理の続行が不可能かどうかを判断する。ここで、マスターディスクの読み出しエラーや全てのコピー先ディスクでの書き込みエラーが発生した場合は、コピー処理続行不可能であると判断してコピー処理を中止し、コピー終了とする。一方、エラーが生じていないコピー先用のディスクドライブユニットについてはコピー先ディスクのコピー処理を継続することになる。
【００５２】
Ｓ１４でコピー動作中にエラーが生じなかった場合やＳ１６でコピー処理続行可能な場合はＳ１７に進み、マスターディスクの全面の全てのデータをコピー先ディスクにコピー終了したか否かを判断する。ここで全データのコピーが終了していない場合はＳ１１に戻り、Ｓ１１〜Ｓ１７の処理を繰り返す。本実施例ではバッファメモリ２２の容量はディスクの記憶容量より小さいため、ディスクの全面についてコピーが終了するまで前述したデータのコピー動作を繰り返すようにする。
【００５３】
なお、従来の装置のようにバッファメモリ手段としてハードディスクを設けてマスターディスクの全てのデータを一旦ハードディスクに記録した後、このデータを複数のコピー先ディスクへそれぞれ書き込むようにすることも考えられるが、コピー時にディスクドライブユニットにおいて多くの待ち時間が生じる場合にはドライブ稼働率が低下してしまう。本実施例のようにドライブ稼働率を考慮してディスクドライブユニット及びＳＣＳＩバスの数、バッファメモリの容量を設定することにより、ハードディスク等を設けることなく高速にコピー処理を行うことができる。
【００５４】
Ｓ１７で全てのデータのコピーが終了した場合は、コピー終了であるため図７に示した以降の後処理に進む。なおこのとき、表示操作パネル４のコピー進捗度表示は１００％となる。
【００５５】
後処理において、まず図７のＳ１８で、全てのディスクドライブユニット１ａ〜１ｅのイジェクトスイッチのロックを解除する。次いで、Ｓ１９でマスター用及びコピー先用のディスクドライブユニット１ａ〜１ｅのうちコピー動作時にエラーが生じなかったドライブにコマンドを送り、コピーが正常終了したマスター及びコピー先ディスクのみを排出する。そして、ディスクを排出したマスター用及びコピー先用のディスクドライブユニットの脇のドライブＬＥＤを緑色に点灯する。このドライブＬＥＤの緑色表示によって、ユーザはコピーの正常終了を確認でき、次のコピー先ディスクを挿入できることを認識できる。
【００５６】
そして、Ｓ２０でコピー処理中にディスクの欠陥などによるエラーがあったか否かを判断し、エラーがあった場合はディスクの欠陥等によるコピーエラー時の処理として、Ｓ２１でドライブＬＥＤ５ａ〜５ｅのうちエラーが生じたマスター用あるいはコピー先用のディスクドライブユニットの脇のＬＥＤを赤色に点灯させ、異常をユーザに告知する。そして、Ｓ２２でユーザによってエラーの生じたマスターあるいはコピー先ディスクが排出されていないかを判断し、ユーザによってディスクが排出されるまで待機する。このとき、ユーザはディスクドライブユニットのイジェクトスイッチを押すことによって、エラーの生じたマスターあるいはコピー先ディスクを排出する。従って、ドライブＬＥＤの赤色表示によりユーザがディスクコピーのエラーを確認し、ユーザによってエラーの生じたディスクが排出されない限り、次の処理に進まないようになっている。
【００５７】
なお、コピー処理中に、マスター用あるいはコピー先用のディスクドライブユニットにおいて半導体レーザの故障など装置のハード的なエラー（機械的故障、電気的故障を含む）が発生した場合は、エラーの生じたディスクドライブユニットの脇のドライブＬＥＤを赤色で点滅させるようにしても良い。また、装置の動作中に、その他のエラー（制御部２のエラーやディスクドライブユニット以外の部分のハード的なエラー（機械的／電気的故障を含む）など）が発生した場合は、表示操作パネル４にエラー番号を表示し、修理時にエラー原因を判別できるようにする。
【００５８】
Ｓ２０でコピー処理中にエラーが生じなかった場合やＳ２２でエラーの生じたマスターあるいはコピー先ディスクが排出されたときは、コピー処理終了となってＳ２３に進み、表示操作パネル４に制御信号を送ってコピー処理を正常に終了したコピー先ディスクの枚数をコピー完了枚数として表示操作パネル４のカウンタ表示部４１に表示する。そして、図５のＳ１に戻って前述した処理を再度繰り返す。
【００５９】
本実施例の装置では、１回のコピー処理に要する時間は、例えば記憶容量が１２８ＭＢの３．５インチの光磁気ディスクで約９分である。従って、図１の構成では約９分で１枚のマスターディスクから４枚のコピーディスクを作成することができる。
【００６０】
同一のマスターディスクのコピーをさらに行う場合は、ディスクドライブユニットから排出されたコピー済みのディスクを取り出し、新たなコピー先ディスクをコピー先用のディスクドライブユニット１ｂ〜１ｅに挿入した後、再度同一のマスターディスクをマスター用のディスクドライブユニット１ａに挿入してコピーを行う。また、他のマスターディスクのコピーを行う場合は、新たなコピー先ディスクをコピー先用のディスクドライブユニット１ｂ〜１ｅに挿入した後、他の異なるマスターディスクをマスター用のディスクドライブユニット１ａに挿入してコピーを行う。
【００６１】
表示操作パネル４のコピー完了枚数表示は、ユーザが枚数リセットスイッチ４３を押すことにより０にリセットされる。従って、一回のコピーが終了した後にコピー完了枚数表示をリセットせずに次のコピーを行うとコピー終了したコピー先ディスクの枚数が前回までの枚数に加算されて表示される。連続して同一のマスターディスクのコピーを行う場合には、コピー完了枚数表示をリセットせずにコピーを繰り返すことによりコピー終了したコピー先ディスクの合計の枚数が表示されるため、ユーザはコピーを行ったコピー先ディスクの総数を確認することができる。また、他のマスターディスクのコピーを行う場合は、マスターディスクをディスクドライブユニットに挿入する前に枚数リセットスイッチ４３を押してコピー完了枚数表示をリセットすれば良い。
【００６２】
本実施例の構成によれば、ディスクドライブユニットにコピー先のディスクをセットした後にマスターディスクをセットするだけでコピー処理を自動的に開始することができるため、コピー開始を指示する操作スイッチ等を設ける必要がなく、ユーザはコピー開始の指示操作を行うことなく簡単な操作でコピー動作を開始でき、容易にマスターディスクから複数のディスクに同時に情報をコピーすることができる。
【００６３】
また、コピー開始時にはマスター及びコピー先ディスクのライトプロテクトの状態を確認してからコピー処理を開始するようにしているため、誤ってマスターディスクのデータを消去したりコピー先ディスクに書き込みが行われないなどの操作ミスを防止することができる。
【００６４】
さらに、コピーが終了したマスター及びコピー先ディスクは自動的に排出するようにしているため、コピーが正常に終了したことを確認することができる。一方、コピー中にエラーが発生した場合はエラーのあったディスクを排出しないことにより、エラーの発生を認識することができると共に、ユーザに注意を促し、誤操作を防ぐことができる。
【００６５】
また、コピー処理中には表示操作パネルにコピー処理の進捗度を表示することにより、ユーザはコピーの進行状況を確認することができ、コピー終了時間の把握などが可能である。また、表示操作パネルにコピーを正常に終了したディスクの枚数を表示することにより、コピー完了したディスクの枚数を容易に確認することができる。
【００７３】
【発明の効果】
以上説明したように本発明によれば、媒体を装置に挿入するだけでコピー処理を容易に開始でき、簡単な操作で複数の媒体に情報をコピーすることが可能な情報記録再生装置を提供できる効果がある。また、コピー処理時の誤操作を防止でき、マスター媒体の情報を保護することができる。また、コピー処理が正常に終了したかコピー処理中に異常があったかを容易に確認することができ、ユーザに注意を促して誤操作を防止することができる。
【図面の簡単な説明】
【図１】本発明の一実施例に係る情報記録再生装置の全体構成を示すブロック図
【図２】情報記録再生装置の外観及び内部構成を示す図であり、（ａ）は装置の正面図、（ｂ）は装置の側面図
【図３】表示操作パネルの配置構成を示す構成説明図
【図４】制御部の構成を示すブロック図
【図５】本実施例の情報記録再生装置の動作を示す図であって、前処理部分のフローチャート
【図６】本実施例の情報記録再生装置の動作を示す図であって、コピー処理部分のフローチャート
【図７】本実施例の情報記録再生装置の動作を示す図であって、後処理部分のフローチャート
【符号の説明】
１ａ…ディスクドライブユニット（マスター再生用）
１ｂ，１ｃ，１ｄ，１ｅ…ディスクドライブユニット（コピー先記録用）
２…制御部
３ａ，３ｂ…ＳＣＳＩバス
４…表示操作パネル
５ａ〜５ｅ…ドライブＬＥＤ
６…電源ユニット
２１…ＣＰＵ
２２…バッファメモリ
２３，２４…ＳＣＳＩプロトコルコントローラ（ＳＰＣ）
４１…カウンタ表示部
４４…枚数表示ＬＥＤ
４５…パーセント表示ＬＥＤ
【図１】
0003560642.tif 000002
【図２】
0003560642.tif 000003
【図３】
0003560642.tif 000004
【図４】
0003560642.tif 000005
【図５】
0003560642.tif 000006
【図６】
0003560642.tif 000007
【図７】
0003560642.tif 000008